(57)【要約】【課題】表示不良をより確実に抑制できる技術を提供する。【解決手段】本発明の表示装置は、発光部と、第１の透過パネルと、第２の透過パネルと、対象画像データに基づいて、第１の透過パネルに正電圧と負電圧が交互に印加されると共に、第２の透過パネルに正電圧と負電圧が交互に印加されるように、第１の透過パネルの印加電圧と第２の透過パネルの印加電圧とを制御する制御手段と、を有し、制御手段は、表示面の特定領域の少なくとも一部において、第１の透過パネルと第２の透過パネルの印加電圧を第１の方法で制御し、表示面の残りの領域の少なくとも一部において、第１の透過パネルと第２の透過パネルの印加電圧を第２の方法で制御し、第１の方法では、第１の透過パネルと第２の透過パネルとのそれぞれにおいて、印加電圧の時間平均である時間平均電圧の極性の偏りが第２の方法よりも小さい。【選択図】図３
2019144358.tif 000002
【特許請求の範囲】
【請求項１】
発光部と、
前記発光部から発せられた光を印加電圧に応じた透過率で透過する第１の透過パネルと、
前記発光部から発せられて前記第１の透過パネルを透過した光を印加電圧に応じた透過率で透過することにより、表示面に画像を表示する第２の透過パネルと、
対象画像データに基づいて、前記第１の透過パネルに正電圧と負電圧が交互に印加されると共に、前記第２の透過パネルに正電圧と負電圧が交互に印加されるように、前記第１の透過パネルの印加電圧と前記第２の透過パネルの印加電圧とを制御する制御手段と、
を有し、
前記制御手段は、
前記表示面の特定領域の少なくとも一部において、前記第１の透過パネルの印加電圧と前記第２の透過パネルの印加電圧とを、第１の方法で制御し、
前記表示面の残りの領域の少なくとも一部において、前記第１の透過パネルの印加電圧と前記第２の透過パネルの印加電圧とを、第２の方法で制御し、
前記第１の方法では、前記第１の透過パネルと前記第２の透過パネルとのそれぞれにおいて、前記印加電圧の時間平均である時間平均電圧の極性の偏りが前記第２の方法よりも小さい
ことを特徴とする表示装置。
【請求項２】
前記特定領域は、予め定められた領域である
ことを特徴とする請求項１に記載の表示装置。
【請求項３】
ユーザ操作、または、前記対象画像データに付加された情報に基づいて、前記特定領域を設定する設定手段、をさらに有する
ことを特徴とする請求項１に記載の表示装置。
【請求項４】
前記制御手段は、前記特定領域において、前記第１の透過パネルの印加電圧と前記第２の透過パネルの印加電圧とを、前記第１の方法で制御する
ことを特徴とする請求項１〜３のいずれか１項に記載の表示装置。
【請求項５】
前記対象画像データに基づいて、前記特定領域から、前記第１の透過パネルと前記第２の透過パネルとの少なくとも一方において閾値時間前からの前記第２の方法での時間平均電圧の極性の偏りが第１の閾値よりも大きい領域に対応する対応領域を検出する検出手段、をさらに有し、
前記制御手段は、
前記特定領域の前記対応領域において、前記第１の透過パネルの印加電圧と前記第２の透過パネルの印加電圧とを、前記第１の方法で制御し、
前記特定領域の残りの領域において、前記第１の透過パネルの印加電圧と前記第２の透過パネルの印加電圧とを、前記第２の方法で制御する
ことを特徴とする請求項１〜３のいずれか１項に記載の表示装置。
【請求項６】
前記対象画像データに基づいて、前記表示面の、前記特定領域以外の領域である非特定領域から、前記第１の透過パネルと前記第２の透過パネルとの少なくとも一方において閾値時間前からの前記第２の方法での時間平均電圧の極性の偏りが第１の閾値よりも大きい領域に対応する対応領域を検出する検出手段、をさらに有し、
前記制御手段は、
前記非特定領域の前記対応領域において、前記第１の透過パネルの印加電圧と前記第２の透過パネルの印加電圧とを、前記第１の方法で制御し、
前記非特定領域の残りの領域において、前記第１の透過パネルの印加電圧と前記第２の透過パネルの印加電圧とを、前記第２の方法で制御する
ことを特徴とする請求項４に記載の表示装置。
【請求項７】
前記対象画像データに基づいて、前記表示面から、前記第１の透過パネルと前記第２の透過パネルとの少なくとも一方において閾値時間前からの前記第２の方法での時間平均電圧の極性の偏りが第１の閾値よりも大きい領域に対応する対応領域を、前記特定領域として検出する検出手段、をさらに有し、
前記制御手段は、
前記特定領域において、前記第１の透過パネルの印加電圧と前記第２の透過パネルの印加電圧とを、前記第１の方法で制御し、
前記表示面の残りの領域において、前記第１の透過パネルの印加電圧と前記第２の透過パネルの印加電圧とを、前記第２の方法で制御する
ことを特徴とする請求項１に記載の表示装置。
【請求項８】
前記対応領域は、フレーム間における前記対象画像データの階調値の差が第２の閾値よりも大きい状態が前記閾値時間前から継続している領域に対応する
ことを特徴とする請求項５〜７のいずれか１項に記載の表示装置。
【請求項９】
前記第１の透過パネルと前記第２の透過パネルとのそれぞれにおいて、前記対応領域における印加電圧が、当該対応領域が検出されたことに応じて、前記第２の方法での印加電圧から前記第１の方法での印加電圧に徐々に変化するように、前記制御手段は、前記第１の透過パネルの印加電圧と前記第２の透過パネルの印加電圧とを制御する
ことを特徴とする請求項５〜８のいずれか１項に記載の表示装置。
【請求項１０】
前記第１の方法では、
大きさが略等しい正電圧と負電圧を前記第１の透過パネルに交互に印加すると共に、前記対象画像データに基づく正電圧と負電圧を前記第２の透過パネルに交互に印加する処理と、
大きさが略等しい正電圧と負電圧を前記第２の透過パネルに交互に印加すると共に、前記対象画像データに基づく正電圧と負電圧を前記第１の透過パネルに交互に印加する処理と、
が交互に行われるように、前記第１の透過パネルの印加電圧と前記第２の透過パネルの印加電圧とが制御される
ことを特徴とする請求項１〜９のいずれか１項に記載の表示装置。
【請求項１１】
前記第１の透過パネルと前記第２の透過パネルとのそれぞれにおいて、前記大きさが略等しい正電圧と負電圧のそれぞれは白表示に対応する
ことを特徴とする請求項１０に記載の表示装置。
【請求項１２】
前記第１の透過パネルと前記第２の透過パネルとのそれぞれにおいて、前記対象画像データに基づく正電圧と負電圧のそれぞれは、前記対象画像データに応じた電圧の大きさを第３の閾値以下に制限した電圧である
ことを特徴とする請求項１０または１１に記載の表示装置。
【請求項１３】
前記制御手段は、
前記対象画像データに基づいて、第１の駆動信号と第２の駆動信号とを生成する生成手段と、
前記第１の駆動信号に応じた電圧を前記第１の透過パネルに印加する第１の印加手段と、
前記第２の駆動信号に応じた電圧を前記第２の透過パネルに印加する第２の印加手段と、
を有し、
前記第１の方法と前記第２の方法との間で、前記第１の駆動信号と前記第２の駆動信号との生成方法が異なる
ことを特徴とする請求項１〜１２のいずれか１項に記載の表示装置。
【請求項１４】
前記第２の方法では、前記第１の透過パネルの印加電圧と前記第２の透過パネルの印加電圧とが、前記対象画像データに応じて制御される
ことを特徴とする請求項１〜１３のいずれか１項に記載の表示装置。
【請求項１５】
発光部と、
前記発光部から発せられた光を印加電圧に応じた透過率で透過する第１の透過パネルと、
前記発光部から発せられて前記第１の透過パネルを透過した光を印加電圧に応じた透過率で透過することにより、表示面に画像を表示する第２の透過パネルと、
を有する表示装置の制御方法であって、
対象画像データに基づいて、前記第１の透過パネルに正電圧と負電圧が交互に印加されると共に、前記第２の透過パネルに正電圧と負電圧が交互に印加されるように、前記第１の透過パネルの印加電圧と前記第２の透過パネルの印加電圧とを制御する制御ステップ、を有し、
前記制御ステップでは、
前記表示面の特定領域の少なくとも一部において、前記第１の透過パネルの印加電圧と前記第２の透過パネルの印加電圧とを、第１の方法で制御し、
前記表示面の残りの領域の少なくとも一部において、前記第１の透過パネルの印加電圧と前記第２の透過パネルの印加電圧とを、第２の方法で制御し、
前記第１の方法では、前記第１の透過パネルと前記第２の透過パネルとのそれぞれにおいて、前記印加電圧の時間平均である時間平均電圧の極性の偏りが前記第２の方法よりも小さい
ことを特徴とする制御方法。
【請求項１６】
請求項１５に記載の制御方法の各ステップをコンピュータに実行させるためのプログラム。
【請求項１７】
請求項１５に記載の制御方法の各ステップをコンピュータに実行させるためのプログラムを格納した、コンピュータが読み取り可能な記憶媒体。
【発明の詳細な説明】
【技術分野】
【０００１】
本発明は、発光部と２枚の透過パネルとを有する表示装置及びその制御方法に関する。
【背景技術】
【０００２】
表示画像の明部と暗部の間の輝度比（コントラスト）を高めるための構成として、２枚の液晶パネルを重ね合わせて配置した構成がある。このような構成を有する液晶表示装置は「二重液晶表示装置」などと呼ばれる。二重液晶表示装置では、バックライトモジュールから発せられた光のうちの不要な光の透過が２枚の液晶パネルによって抑制され、黒領域の表示輝度が低下する。
【０００３】
液晶パネルを有する表示装置は、液晶素子に電圧を印加することにより液晶素子の透過率を設定し、液晶パネルの背面に照射された光を透過して、画像を表示する。液晶素子の透過率と液晶素子に印加される電圧（印加電圧）との関係は、例えば、印加電圧が所定の値以上で透過率が最大となり、印加電圧が最小（オフ）の場合に透過率が最小となる、所謂ノーマリーブラックの関係である。
【０００４】
液晶素子の液晶層は微量のイオン性不純物を含む。正極と負極の一方のみの電圧を液晶素子に印加し続けると、不純物が液晶層の一部に偏り、「焼き付き」などと呼ばれる表示不良が生じる。焼き付きは、表示対象の画像を他の画像に切り替えた場合に前回の表示画像が残って観察される現象であり、表示品質の低下（画質劣化）をまねくため好ましくない。
【０００５】
特許文献１に開示された液晶表示装置は、インターレース方式の画像データに基づいて画像を表示する場合に、液晶素子の印加電圧の極性を２フィールドごとに反転させる。特許文献１に開示された液晶表示装置で白画像を連続して表示する場合には、２フィールドごとに印加電圧の極性が反転することにより、印加電圧の時間平均である時間平均電圧の極性の偏りが抑制され、液晶層の不純物の偏りによる焼き付きが抑制される。
【先行技術文献】
【特許文献】
【０００６】
【特許文献１】特開２００８−２４２１４４号公報
【発明の概要】
【発明が解決しようとする課題】
【０００７】
しかしながら、特許文献１に開示された液晶表示装置では、焼き付きを抑制できないことがある。具体的には、表示画像は、タイムコードの領域などのように高階調表示と低階調表示とが交互に繰り返される領域を含むことがある。表示画像がこのような領域を含む場合には、特許文献１に開示された技術のように液晶素子の印加電圧の極性を２フィールドごとに反転させたとしても、時間平均電圧の極性が正極と負極の一方に大きく偏り、焼き付きが生じることがある。
【０００８】
本発明は、「焼き付き」などと呼ばれる表示不良をより確実に抑制できる技術を提供することを目的とする。
【課題を解決するための手段】
【０００９】
本発明の第１の態様は、
発光部と、
前記発光部から発せられた光を印加電圧に応じた透過率で透過する第１の透過パネルと、
前記発光部から発せられて前記第１の透過パネルを透過した光を印加電圧に応じた透過率で透過することにより、表示面に画像を表示する第２の透過パネルと、
対象画像データに基づいて、前記第１の透過パネルに正電圧と負電圧が交互に印加されると共に、前記第２の透過パネルに正電圧と負電圧が交互に印加されるように、前記第１の透過パネルの印加電圧と前記第２の透過パネルの印加電圧とを制御する制御手段と、
を有し、
前記制御手段は、
前記表示面の特定領域の少なくとも一部において、前記第１の透過パネルの印加電圧と前記第２の透過パネルの印加電圧とを、第１の方法で制御し、
前記表示面の残りの領域の少なくとも一部において、前記第１の透過パネルの印加電圧と前記第２の透過パネルの印加電圧とを、第２の方法で制御し、
前記第１の方法では、前記第１の透過パネルと前記第２の透過パネルとのそれぞれにおいて、前記印加電圧の時間平均である時間平均電圧の極性の偏りが前記第２の方法よりも小さい
ことを特徴とする表示装置である。
【００１０】
本発明の第２の態様は、
発光部と、
前記発光部から発せられた光を印加電圧に応じた透過率で透過する第１の透過パネルと、
前記発光部から発せられて前記第１の透過パネルを透過した光を印加電圧に応じた透過率で透過することにより、表示面に画像を表示する第２の透過パネルと、
を有する表示装置の制御方法であって、
対象画像データに基づいて、前記第１の透過パネルに正電圧と負電圧が交互に印加されると共に、前記第２の透過パネルに正電圧と負電圧が交互に印加されるように、前記第１の透過パネルの印加電圧と前記第２の透過パネルの印加電圧とを制御する制御ステップ、を有し、
前記制御ステップでは、
前記表示面の特定領域の少なくとも一部において、前記第１の透過パネルの印加電圧と前記第２の透過パネルの印加電圧とを、第１の方法で制御し、
前記表示面の残りの領域の少なくとも一部において、前記第１の透過パネルの印加電圧と前記第２の透過パネルの印加電圧とを、第２の方法で制御し、
前記第１の方法では、前記第１の透過パネルと前記第２の透過パネルとのそれぞれにおいて、前記印加電圧の時間平均である時間平均電圧の極性の偏りが前記第２の方法よりも小さい
ことを特徴とする制御方法である。
【００１１】
本発明の第３の態様は、上述した制御方法の各ステップをコンピュータに実行させるためのプログラムである。本発明の第４の態様は、上述した制御方法の各ステップをコンピュータに実行させるためのプログラムを格納した、コンピュータが読み取り可能な記憶媒体である。
【発明の効果】
【００１２】
本発明によれば、「焼き付き」などと呼ばれる表示不良をより確実に抑制できる。
【図面の簡単な説明】
【００１３】
【図１】実施例１に係る表示装置の構成の一例を示す概略図である。
【図２】実施例１に係る表示装置の構成の一例を示すブロック図である。
【図３】実施例１に係る処理フローの一例を示すフローチャートである。
【図４】実施例１に係る階調値と印加電圧の時間変化の一例を示す図である。
【図５】実施例１に係る他の表示装置の構成の一例を示すブロック図である。
【図６】実施例２に係る階調値と印加電圧の時間変化の一例を示す図である。
【図７】実施例３に係る階調値と印加電圧の時間変化の一例を示す図である。
【図８】実施例３に係る階調値の変換方法の一例を示す図である。
【図９】実施例４に係る処理フローの一例を示すフローチャートである。
【図１０】実施例４に係る階調値と印加電圧の時間変化の一例を示す図である。
【図１１】実施例５に係る特定領域と非特定領域の一例を示す図である。
【図１２】実施例５に係る表示装置の構成の一例を示す概略図である。
【図１３】実施例１〜５で解決される課題の一例を示す図である。
【発明を実施するための形態】
【００１４】
（各実施例の概要）
液晶パネルでは、液晶素子（表示素子）に電圧を印加することにより液晶素子の透過率が設定される。液晶素子の液晶層は微量のイオン性不純物を含む。正極と負極の一方のみの電圧を液晶素子に印加し続けると、不純物が液晶層の一部に偏り、液晶素子の共通電位が変化し、「焼き付き」などと呼ばれる表示不良が生じる。焼き付きは、表示対象の画像を他の画像に切り替えた場合に前回の表示画像が残って観察される現象であり、表示品質の低下（画質劣化）をまねくため好ましくない。
【００１５】
液晶パネル（液晶素子）に印加される電圧（印加電圧）の極性をフレームごとに反転させる反転駆動により、上記焼き付きを抑制できる。ここで、入力画像データの階調値（入力階調値）に応じた大きさの電圧を液晶パネルに印加する反転駆動の例を説明する。入力階調値などのビット数は特に限定されないが、後述する各実施例では、入力階調値などの階調値が８ビットの値（０以上かつ２５５以下の値）であるとする。
【００１６】
図１３（Ａ）は、入力階調値の時間変化の一例を示す。図１３（Ａ）では、入力階調値２４０が続いている。この場合には、上記反転駆動において、図１３（Ｂ）のように、正電圧ＶＣＯＭ＋Ｖ２４０［Ｖ］と負電圧ＶＣＯＭ−Ｖ２４０［Ｖ］とが液晶パネルに交互に印加される。電位Ｖ２４０は階調値２４０を表示するための印加電位であり、電位ＶＣＯＭは対向電極の共通電位である。図１３（Ｂ）の反転駆動では、印加電圧の時間平均である時間平均電圧の極性の偏りが略ゼロとなる（「略」は「完全」を含む）。具体的には、時間平均電圧は電圧ＶＣＯＭに略一致する。その結果、共通電位ＶＣＯＭが略一定に保たれ、焼き付きが抑制される。
【００１７】
図１３（Ｃ）は、入力階調値の時間変化の一例を示す。図１３（Ｃ）では、低速で入力階調値が変化する。この場合には、上記反転駆動において、図１３（Ｄ）のように、正電圧と負電圧が液晶パネルに交互に印加される。図１３（Ｄ）の反転駆動でも、時間平均電圧の極性の偏りが略ゼロとなり、焼き付きが抑制される。
【００１８】
しかしながら、入力階調値に応じた大きさの電圧を液晶パネルに印加する上記反転駆動では、焼き付きを抑制できないことがある。図１３（Ｅ）は、入力階調値の時間変化の一例を示す。図１３（Ｅ）では、高階調値（大きい入力階調値）と低階調値（小さい入力階調値）の間で入力階調値がフレームごとに切り替わる。この場合には、上記反転駆動において、図１３（Ｆ）のように、高い正電圧と低い負電圧との間で液晶パネルの印加電圧がフレームごとに切り替わる。図１３（Ｆ）の反転駆動では、時間平均電圧の極性の大きな偏りが生じる。具体的には、時間平均電圧は、電圧ＶＣＯＭに対して正極側に大きく偏る。その結果、共通電位ＶＣＯＭが正極側に大きく変化し、焼き付きが生じることがある。このように、高階調値と低階調値の間で入力階調値が高速で切り替わる場合には、焼き付
きを抑制できない。
【００１９】
そこで、後述する各実施例では、表示面（画像が表示される面；ユーザが見る面）の特定領域の少なくとも一部と、表示面の残りの領域の少なくとも一部との間で、液晶パネルの印加電圧の制御方法を異ならせる。特定領域は、「焼き付き」などと呼ばれる表示不良が生じる可能性が高い領域である。特定領域の少なくとも一部における制御方法では、上記残りの領域の少なくとも一部における制御方法よりも、時間平均電圧の極性の偏りが小さい。これにより、上記表示不良をより確実に抑制できる。上記残りの領域の少なくとも一部における制御方法は、特に限定されないが、例えば上述した反転駆動と同じである。
【００２０】
＜実施例１＞
以下、本発明の実施例１について説明する。図１は、本実施例に係る表示装置（二重液晶表示装置）１００の構成の一例を示す概略図である。表示装置１００は、バックライトモジュール１０１、バックパネル１０２、フロントパネル１０３、及び、制御回路１０４を有する。以後、バックライトモジュール１０１から表示面に向かう方向を前方向として説明を行う。バックパネル１０２はバックライトモジュール１０１に対して前側（前面側）に設けられた液晶パネルであり、フロントパネル１０３はバックパネル１０２に対して前側に設けられた液晶パネルである。バックライトモジュール１０１から発せられた光が、バックパネル１０２とフロントパネル１０３をその順番で透過することで、表示面に画像が表示される。制御回路１０４は、表示装置１００の各種処理や制御を行う。制御回路１０４の位置は特に限定されないが、図１では、制御回路１０４（制御回路１０４が設けられた制御回路基板）は、バックライトモジュール１０１に対して後ろ側（背面側）に設けられている。また、表示装置１００は、不図示の部材として、外装ベゼル、電源、操作キー、等を有する。
【００２１】
なお、バックパネル１０２とフロントパネル１０３のそれぞれは、透過パネル（透過型の表示パネル）であればよく、液晶パネルでなくてもよい。例えば、バックパネル１０２とフロントパネル１０３の少なくとも一方は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示パネルであってもよい。モアレ防止などのために、バックパネル１０２とフロントパネル１０３の間に、光学シート、所定の空間、等が設けられてもよい。
【００２２】
図２は、表示装置１００の構成の一例を示すブロック図である。上述したように、表示装置１００は、バックライトモジュール１０１、バックパネル１０２、フロントパネル１０３、及び、制御回路１０４を有する。制御回路１０４は、画像入力部２０１、焼き付き検出部２０２、画像分配部２０３、バック電圧生成部２０４、及び、フロント電圧生成部２０５を有する。
【００２３】
バックライトモジュール１０１は、前側に光を発する発光部である。バックライトモジュール１０１は、１つ以上の光源（発光素子）を有する。光源として、例えば、発光ダイオード（ＬＥＤ：Ｌｉｇｈｔ  Ｅｍｉｔｔｉｎｇ  Ｄｉｏｄｅ）、冷陰極管（ＣＣＦＬ：Ｃｏｌｄ  Ｃａｔｈｏｄｅ  Ｆｌｕｏｒｅｓｃｅｎｔ  ｌａｍｐ）、エレクトロルミネッセンス（ＥＬ：Ｅｌｅｃｔｒｏ  Ｌｕｍｉｎｅｓｃｅｎｃｅ）素子、等を使用できる。バックパネル１０２の背面に光を照射できれば、バックライトモジュール１０１の構成は特に限定されない。例えば、バックライトモジュール１０１の構成（型）は、直下型であってもよいし、エッジライト型であってもよいし、平面光源型であってもよい。バックライトモジュール１０１は、発光色が互いに異なる複数の光源を有していてもよいし、そうでなくてもよい。例えば、バックライトモジュール１０１は、白色光源のみを有していてもよいし、赤色光源、緑色光源、及び、青色光源を有していてもよい。バックライトモジュール１０１は、白色光源、赤色光源、緑色光源、及び、青色光源を有していてもよい。
【００２４】
上述したように、バックパネル１０２とフロントパネル１０３のそれぞれは液晶パネルである。液晶パネルは、「印加電圧を制御することで光の透過率が制御されて透過光の光量が制御されるという透過機能を有する透過パネル」とも言える。液晶パネルの構成には、液晶分子の配置方法、液晶分子の駆動方法、等が互いに異なる複数の構成がある。例えば、液晶パネルの駆動方法（駆動方式）として、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ−Ｓｗｉｔｃｈｉｎｇ）方式、等がある。また、液晶パネルとして、カラーフィルタを有するカラー液晶パネル、カラーフィルタを有さないモノクロ液晶パネル、等がある。印加電圧を制御することで透過率を制御できれば、バックパネル１０２の構成およびフロントパネル１０３の構成は特に限定されない。例えば、バックパネル１０２とフロントパネル１０３のそれぞれの駆動方式は、ＴＮ方式であってもよいし、ＶＡ方式であってもよいし、ＩＰＳ方式であってもよい。ＩＰＳ方式の液晶パネルは優れた発色特性を有するため、ＩＰＳ方式の液晶パネルを使用するのが好ましい。バックパネル１０２とフロントパネル１０３のそれぞれは、モノクロ液晶パネルであってもよいし、カラー液晶パネルであってもよい。バックパネル１０２とフロントパネル１０３の間で構成が異なっていてもよい。例えば、バックパネル１０２がモノクロ液晶パネルであり、且つ、フロントパネル１０３がカラー液晶パネルであるという構成が採用されてもよい。
【００２５】
バックパネル１０２は、バックライトモジュール１０１から発せられた光をバックパネル１０２の印加電圧に応じた透過率で透過する。フロントパネル１０３は、バックライトモジュール１０１から発せられてバックパネル１０２を透過した光をフロントパネル１０３の印加電圧に応じた透過率で透過することにより、表示面に画像を表示する。
【００２６】
画像入力部２０１は、不図示の外部装置から出力される対象画像データ１１（入力画像データ）を取得し、対象画像データ１１を焼き付き検出部２０２と画像分配部２０３へ出力する。例えば、画像入力部２０１は、ＳＤＩ、ＨＤＭＩ（登録商標）、等の規格に準拠した入力端子であり、外部装置は、撮像装置、再生装置、等である。本実施例では、対象画像データ１１によって表された画像の解像度（画素数）、バックパネル１０２の解像度（表示素子数）、及び、フロントパネル１０３の解像度（表示素子数）が同じであるとする。
【００２７】
なお、表示装置１００は、画像データを記憶する記憶部を有してもよく、画像入力部２０１は、記憶部に記録された画像データを、対象画像データ１１として記憶部から取得してもよい。対象画像データ１１は、外部装置から出力される画像データ、記憶部に記録された画像データ、等に限られない。例えば、表示装置１００は、外部装置から出力される画像データ、記憶部に記録された画像データ、等に所定の処理を施す処理部を有してもよく、所定の処理が施された後の画像データが、対象画像データ１１として使用されてもよい。所定の処理は、例えば、デコード処理、解像度変換処理、ぼかし処理、エッジ強調処理、輝度変換処理、色変換処理、等である。
【００２８】
焼き付き検出部２０２は、画像入力部２０１から出力された対象画像データ１１に基づいて、焼き付きが生じる可能性が高い特定領域を検出する。そして、焼き付き検出部２０２は、特定領域の検出結果（焼き付き検出結果１２）を画像分配部２０３へ出力する。
【００２９】
画像分配部２０３は、画像入力部２０１から出力された対象画像データ１１と、焼き付き検出部２０２から出力された焼き付き検出結果１２とに基づいて、バック駆動信号１３とフロント駆動信号１４を生成する。バック駆動信号１３は、バックパネル１０２の印加電圧を制御するための駆動信号であり、フロント駆動信号１４は、フロントパネル１０３の印加電圧を制御するための駆動信号である。画像分配部２０３は、バックパネル１０２
に正電圧と負電圧が交互に印加されると共に、フロントパネル１０３に正電圧と負電圧が交互に印加されるように、バック駆動信号１３とフロント駆動信号１４を生成する。そして、画像分配部２０３は、バック駆動信号１３をバック電圧生成部２０４へ出力し、フロント駆動信号１４をフロント電圧生成部２０５へ出力する。
【００３０】
表示装置１００は、バックパネル１０２の印加電圧とフロントパネル１０３の印加電圧との制御方法が互いに異なる複数の制御モードとして、少なくとも通常モードと焼き付き低減モードとを有する。通常モードは、バックパネル１０２の印加電圧とフロントパネル１０３の印加電圧とを対象画像データ１１に応じて制御する制御モードである。即ち、通常モードは、図１３（Ａ）〜１３（Ｆ）を用いて説明した反転駆動をバックパネル１０２とフロントパネル１０３のそれぞれにおいて実現する制御モードである。焼き付き低減モードは、バックパネル１０２とフロントパネル１０３のそれぞれにおいて時間平均電圧の極性の偏りが通常モードよりも小さい状態を実現する制御モードである。
【００３１】
本実施例では、複数の制御モードの間でバック駆動信号１３とフロント駆動信号１４の生成方法が異なる。画像分配部２０３は、特定領域において、バック駆動信号１３とフロント駆動信号１４を焼き付き低減モードで生成し、表示面の残りの領域において、バック駆動信号１３とフロント駆動信号１４を通常モードで生成する。なお、特定領域以外の領域における制御モードは、バックパネル１０２とフロントパネル１０３のそれぞれにおいて時間平均電圧の極性の偏りが焼き付き低減モードよりも大きい状態を実現する他の制御モードであってもよい。
【００３２】
バック電圧生成部２０４は、画像分配部２０３から出力されたバック駆動信号１３に応じた電圧を、バックパネル１０２（バックパネル１０２の各液晶素子）に印加する。フロント電圧生成部２０５は、画像分配部２０３から出力されたフロント駆動信号１４に応じた電圧を、フロントパネル１０３（フロントパネル１０３の各液晶素子）に印加する。そのため、本実施例では、特定領域において、バックパネル１０２の印加電圧とフロントパネル１０３の印加電圧とが、焼き付き低減モードで制御される。そして、表示面の残りの領域において、バックパネル１０２の印加電圧とフロントパネル１０３の印加電圧とが、通常モードで制御される。
【００３３】
焼き付き検出部２０２と画像分配部２０３の処理フローの一例について、図３を用いて説明する。図３は、焼き付き検出部２０２と画像分配部２０３の処理フローの一例を示すフローチャートである。図３の処理フローは、対象画像データ１１の各フレームについて個別に行われる。本実施例では、焼き付き検出部２０２は、表示面から、バックパネル１０２とフロントパネル１０３の少なくとも一方において閾値時間前からの通常モードでの時間平均電圧の極性の偏りが閾値よりも大きい領域を、特定領域として検出する。なお、閾値時間、偏りの閾値、等は特に限定されない。閾値時間は、メーカによって予め定められた固定値（固定時間）であってもよいし、そうでなくてもよい。例えば、閾値時間は、ユーザによって指定された値（時間）であってもよい。偏りの閾値についても同様である。
【００３４】
ステップＳ３０１にて、焼き付き検出部２０２は、対象画像データ１１の現フレームデータ（現在のフレームのデータ）の１画素を処理対象画素として選択し、当該現フレームデータから、処理対象画素の階調値Ｘａを取得する。階調値は、例えば、Ｒ値、Ｇ値、Ｂ値、Ｙ値（輝度値）、等である。なお、対象画像データ１１の前フレームデータ（現フレームの１つ前のフレームのデータ）における処理対象画素の階調値Ｘｂは既に取得されている。
【００３５】
ステップＳ３０２にて、焼き付き検出部２０２は、階調値Ｘａと階調値Ｘｂの差（階調
差）が閾値よりも大きいか否かを判断する。本実施例では、階調差の閾値が２００であり、階調差｜Ｘａ−Ｘｂ｜が２００よりも大きいか否かが判断される。階調差が閾値よりも大きいと判断された場合には、ステップＳ３０３へ処理が進められ、そうでない場合には、処理対象画素は特定領域の画素でないとして、ステップＳ３０６へ処理が進められる。階調値Ｘａが１６であり且つ階調値Ｘｂが２４０である場合には、｜Ｘａ−Ｘｂ｜＝２２４＞２００であるため、ステップＳ３０３へ処理が進められる。なお、階調差の閾値は特に限定されない。階調差の閾値は、メーカによって予め定められた固定値であってもよいし、そうでなくてもよい。例えば、階調差の閾値は、ユーザによって指定された値であってもよい。
【００３６】
ステップＳ３０３にて、焼き付き検出部２０２は、処理対象画素のカウント値Ｃｏｕｎｔを１つ上げる。カウント値Ｃｏｕｎｔは、階調差が閾値よりも大きい状態が継続している時間（フレーム数）に対応する。表示装置１００が起動または停止するタイミング、ステップＳ３０６へ処理が進められるタイミング、等において、カウント値Ｃｏｕｎｔは０に初期化される。
【００３７】
ステップＳ３０４にて、焼き付き検出部２０２は、カウント値Ｃｏｕｎｔが閾値（閾値時間）よりも大きいか否かを判断する。本実施例では、カウント値Ｃｏｕｎｔの閾値が１０であり、カウント値Ｃｏｕｎｔが１０よりも大きいか否かが判断される。カウント値Ｃｏｕｎｔが閾値よりも大きいと判断された場合には、処理対象画素は特定領域の画素であるとして、ステップＳ３０５へ処理が進められ、そうでない場合には、処理対象画素は特定領域の画素でないとして、ステップＳ３０６へ処理が進められる。従って、本実施例では、フレーム間における対象画像データ１１の階調値の差が閾値よりも大きい状態が閾値時間前（１０フレーム前）から継続している領域が、特定領域として検出される。
【００３８】
ステップＳ３０５にて、処理対象画素は特定領域の画素であるため、画像分配部２０３は、処理対象画素のバック駆動信号１３とフロント駆動信号１４を焼き付き低減モードで生成する。ステップＳ３０６にて、処理対象画素は特定領域の画素であるため、画像分配部２０３は、処理対象画素のバック駆動信号１３とフロント駆動信号１４を通常モードで生成する。
【００３９】
ステップＳ３０７にて、焼き付き検出部２０２は、現フレームデータの全ての画素が処理対象画素として選択済みか否かを判断する。現フレームデータの全ての画素が処理対象画素として選択済みと判断された場合には、本処理フロー（現フレームデータについての処理）が終了される。そうでない場合には、ステップＳ３０１へ処理が戻され、他の画素（未選択の画素）に処理対象画素が切り替えられる。現フレームデータの全ての画素が処理対象画素として選択済みと判断されるまで、ステップＳ３０１〜Ｓ３０７の処理が繰り返される。
【００４０】
通常モードと焼き付き低減モードの違いの具体例について、図４（Ａ）〜４（Ｃ）を用いて説明する。図４（Ａ）は、対象画像データ１１の階調値の時間変化の一例を示す。図４（Ｂ）は、バック駆動信号１３に応じた電圧の時間変化（バックパネル１０２の印加電圧の時間変化）の一例を示す。そして、図４（Ｃ）は、フロント駆動信号１４に応じた電圧の時間変化（フロントパネル１０３の印加電圧の時間変化）の一例を示す。図４（Ａ）では、対象画像データ１１の階調値が２４０と１６の間でフレームごとに切り替わっている。
【００４１】
図４（Ａ）の対象画像データ１１が取得されると、１〜１０番目のフレームの期間において、通常モードでバック駆動信号１３とフロント駆動信号１４が生成される。通常モードでは、対象画像データ１１に応じた正電圧と負電圧がバックパネル１０２に交互に印加
されるように、バック駆動信号１３が生成される（図４（Ｂ）のフレーム番号１〜６）。それと共に、対象画像データ１１に応じた正電圧と負電圧がフロントパネル１０３に交互に印加されるように、フロント駆動信号１４が生成される（図４（Ｃ）のフレーム番号１〜６）。図４（Ｂ），４（Ｃ）に示すように、対象画像データ１１の階調値が大きい場合に当該階調値に応じた印加電圧は大きく、対象画像データ１１の階調値が小さい場合に当該階調値に応じた印加電圧は小さい。具体的には、対象画像データ１１の階調値が大きいほど当該階調値に応じた印加電圧は大きい。なお、対象画像データ１１に応じた印加電圧は、バックパネル１０２とフロントパネル１０３の間で同じであってもよいし、異なっていてもよい。
【００４２】
そして、図４（Ａ）の対象画像データ１１が取得されると、１１番目のフレーム以降の期間において、焼き付き低減モードでバック駆動信号１３とフロント駆動信号１４が生成される。焼き付き低減モードでは、以下の処理１，２が交互に行われるように、バック駆動信号１３とフロント駆動信号１４が生成される。
処理１：大きさが略等しい正電圧と負電圧をバックパネル１０２に交互に印加すると共に、対象画像データ１１に基づく（応じた）正電圧と負電圧をフロントパネル１０３に交互に印加する処理（図４（Ｂ），４（Ｃ）のフレーム番号３１〜３６）
処理２：大きさが略等しい正電圧と負電圧をフロントパネル１０３に交互に印加すると共に、対象画像データ１１に基づく（応じた）正電圧と負電圧をバックパネル１０２に交互に印加する処理（図４（Ｂ），４（Ｃ）のフレーム番号６１〜６６）
【００４３】
大きさが略等しい正電圧と負電圧が交互に印加されることにより、「焼き付き」などと呼ばれる表示不良が発生し難くなる。また、バックパネル１０２とフロントパネル１０３の一方に対象画像データ１１に基づく電圧が印加される状態が常に実現されるため、所望の表示（対象画像データ１１に基づく画像の表示）を維持することもできる。
【００４４】
大きさが略等しい正電圧と負電圧は、「共通電位ＶＣＯＭに対して略等しい大きさで正極側と負極側にそれぞれ設定された２つの電位」とも言える。大きさが略等しければ、正電圧と負電圧のそれぞれの大きさは特に限定されない。但し、通常モードから焼き付き低減モードへの切り替わりによる表示輝度（表示面の輝度）の低下を抑制するために、バックパネル１０２とフロントパネル１０３のそれぞれで、大きさが略等しい正電圧と負電圧のそれぞれが白表示に対応することが好ましい。即ち、大きさが略等しい正電圧と負電圧のそれぞれの大きさが上限であることが好ましい。
【００４５】
処理１と処理２は所定の切り替え時間おきに切り替えられる。なお、切り替え時間は、メーカによって予め定められた固定時間であってもよいし、そうでなくてもよい。例えば、切り替え時間は、ユーザによって指定された時間であってもよい。切り替え時間は、バックパネル１０２の解像度、フロントパネル１０３の解像度、等を考慮して決定されることが好ましい。切り替え時間は特に限定されないが、例えば、７マイクロ秒から１分までの時間である。
【００４６】
以上述べたように、本実施例によれば、表示面から特定領域が検出され、特定領域において印加電圧が焼き付き低減モードで制御され、表示面の残りの領域において印加電圧が通常モードで制御される。これにより、「焼き付き」などと呼ばれる表示不良をより確実に抑制できる。具体的には、高階調値と低階調値の間で対象画像データ１１の階調値が高速で切り替わる場合にも、焼き付きを抑制できる。
【００４７】
なお、特定領域が検出される例を説明したが、特定領域に対応する他の対応領域が検出されてもよい。例えば、表示面（対象画像データ１１によって表された画像）を構成する複数の分割領域が予め定められていてもよい。そして、カウント値Ｃｏｕｎｔが閾値（閾
値時間）よりも大きい画素が検出され、検出された画素を所定数以上含む分割領域が対応領域として検出されてもよい。その場合には、対応領域において焼き付き低減モードで駆動信号（バック駆動信号１３とフロント駆動信号１４）が生成され、表示面の残りの領域において通常モードで駆動信号が生成される。即ち、画素ごとに制御モードを決定するのではなく、複数の画素からなる領域ごとに制御モードを決定してもよい。所定数は、例えば、視認可能な最小領域を構成する画素数である。検出された画素を１つ以上含む分割領域が対応領域として検出されてもよい。所定数は１より多くてもよい。
【００４８】
なお、対象画像データ１１を使って特定領域を検出する例を説明したが、通常モードで生成された駆動信号を使って特定領域や対応領域を検出してもよい。駆動信号を使って特定領域を検出する場合には、図５に示すように、画像入力部２０１は、画像分配部２０３へ対象画像データ１１を出力する。画像分配部２０３は、通常モードで対象画像データ１１から駆動信号を生成し、生成した駆動信号を焼き付き検出部２０２へ出力する。焼き付き検出部２０２は、駆動信号を用いて特定領域を検出し、焼き付き検出結果１２を画像分配部２０３へ出力する。そして、画像分配部２０３は、対象画像データ１１と焼き付き検出結果１２に基づいて駆動信号を生成し、生成した駆動信号をバック電圧生成部２０４とフロント電圧生成部２０５へ出力する。
【００４９】
駆動信号を使って特定領域を検出する方法の一例を説明する。通常モードのバック駆動信号１３と通常モードのフロント駆動信号１４とが同じである場合には、焼き付き検出部２０２は、バック駆動信号１３とフロント駆動信号１４の一方を使って特定領域を検出する。例えば、連続する正電圧と負電圧の間における電圧差（電圧の大きさの差）が閾値よりも大きい領域が、特定領域として検出される。通常モードのバック駆動信号１３と通常モードのフロント駆動信号１４とが互いに異なる場合には、焼き付き検出部２０２は、バック駆動信号１３を使って特定領域を検出し、フロント駆動信号１４を使って特定領域を検出する。そして、焼き付き検出部２０２は、バック駆動信号１３を使って検出された特定領域と、フロント駆動信号１４を使って検出された特定領域との論理和を、最終的な特定領域として決定する。
【００５０】
なお、バックパネル１０２の解像度とフロントパネル１０３の解像度とが互いに異なることがある。ここで、バックパネル１０２の解像度が、フロントパネル１０３の解像度よりも低い場合を考える。バックパネル１０２の表示素子を「バック素子」と記載し、フロントパネル１０３の表示素子を「フロント素子」と記載する。１つのバック素子に複数のフロント素子が対応する。焼き付き検出部２０２は、バック駆動信号１３を使って、１つ以上のバック素子からなる特定領域を検出し、フロント駆動信号１４を使って、１つ以上のフロント素子からなる特定領域を検出する。そして、焼き付き検出部２０２は、バック駆動信号１３を使って検出された特定領域と、フロント駆動信号１４を使って検出された特定領域に対応するバック素子からなる領域との論理和を、最終的な特定領域（対応領域）として決定する。
【００５１】
なお、駆動信号の生成方法を変えることで印加電圧の制御方法を変える例を説明したが、駆動信号の生成方法は変えずに、バック電圧生成部２０４とフロント電圧生成部２０５の処理を変えてもよい。例えば、画像分配部２０３は、常に通常モードの駆動信号を生成してもよい。そして、バック電圧生成部２０４とフロント電圧生成部２０５は、特定領域の電圧として、駆動信号に基づかない所定の電圧（焼き付き低減モードの電圧）を生成し、残りの領域の電圧として、駆動信号に応じた電圧（通常モードの電圧）を生成してもよい。
【００５２】
なお、印加電圧の極性を１フレームごとに切り替える例を説明したが、印加電圧の極性を複数フレームごとに切り替えてもよい。
【００５３】
＜実施例２＞
以下、本発明の実施例２について説明する。本実施例では、２フレーム分の時間を入れ替え時間として用いた例を説明する。なお、以下では、実施例１と異なる点（構成や処理）について詳しく説明し、実施例１と同じ点についての説明は省略する。
【００５４】
本実施例では、図６（Ａ）〜６（Ｃ）に示す動作が実現されるように、バック駆動信号１３とフロント駆動信号１４が生成される。図６（Ａ）は、対象画像データ１１の階調値の時間変化の一例を示す。図６（Ｂ）は、バック駆動信号１３に応じた電圧の時間変化の一例を示す。そして、図６（Ｃ）は、フロント駆動信号１４に応じた電圧の時間変化の一例を示す。
【００５５】
通常モードでは、実施例１と同様のバック駆動信号１３と、実施例１と同様のフロント駆動信号１４とが生成される（図６（Ａ）〜６（Ｃ）のフレーム番号１〜６）。焼き付き低減モードでは、実施例１で述べた処理１と処理２が２フレームおき切り替えられるように、バック駆動信号１３とフロント駆動信号１４が生成される（図６（Ａ）〜６（Ｃ）のフレーム番号３１〜３８）。即ち、バックパネル１０２に対する処理として、大きさが略等しい正電圧と負電圧を順に印加する処理と、対象画像データ１１に基づく正電圧と負電圧を順に印加する処理とが１回ずつ交互に行われる。同様に、フロントパネル１０３に対する処理として、大きさが略等しい正電圧と負電圧を順に印加する処理と、対象画像データ１１に基づく正電圧と負電圧を順に印加する処理とが１回ずつ交互に行われる。
【００５６】
本実施例によれば、実施例１と同様に、表示不良をより確実に抑制できる。
【００５７】
＜実施例３＞
以下、本発明の実施例３について説明する。本実施例では、焼き付き低減モードにおいて、対象画像データ１１に基づく正電圧と負電圧のそれぞれとして、対象画像データ１１に応じた電圧の大きさを閾値以下に制限した電圧（制限電圧）を印加する例を説明する。なお、以下では、実施例１と異なる点（構成や処理）について詳しく説明し、実施例１と同じ点についての説明は省略する。
【００５８】
本実施例では、図７（Ａ）〜７（Ｃ）に示す動作が実現されるように、バック駆動信号１３とフロント駆動信号１４が生成される。図７（Ａ）は、対象画像データ１１の階調値の時間変化の一例を示す。図７（Ｂ）は、バック駆動信号１３に応じた電圧の時間変化の一例を示す。そして、図７（Ｃ）は、フロント駆動信号１４に応じた電圧の時間変化の一例を示す。
【００５９】
通常モードでは、実施例１と同様のバック駆動信号１３と、実施例１と同様のフロント駆動信号１４とが生成される（図７（Ａ）〜７（Ｃ）のフレーム番号１〜６）。焼き付き低減モードでは、実施例１と同様に、処理１と処理２が交互に行われるように、バック駆動信号１３とフロント駆動信号１４が生成される（図７（Ａ）〜７（Ｃ）のフレーム番号３１〜３６，６１〜６６）。
【００６０】
但し、上述したように、本実施例では、焼き付き低減モードにおいて、対象画像データ１１に基づく正電圧と負電圧のそれぞれとして、大きさが閾値以下の制限電圧を印加する。具体的には、対象画像データ１１に基づいて、電圧ＶＣＯＭ＋ＶＮ以下の正電圧と、電圧ＶＣＯＭ−ＶＮ以上の負電圧とを交互に印加する（図７（Ａ）〜７（Ｃ）のフレーム番号３１，３３，３５，６１，６３，６５）。上記制限電圧の印加により、時間平均電圧の極性の偏りをより低減でき、表示不良がより発生し難くなる。
【００６１】
なお、電圧の大きさの閾値は、メーカによって予め定められた固定値であってもよいし、そうでなくてもよい。例えば、電圧の大きさの閾値は、ユーザによって指定された値であってもよい。焼き付き低減モードにおいて、さらに、大きさが略等しい正電圧と負電圧のそれぞれとして、大きさが上記閾値以下の電圧を印加してもよい。
【００６２】
本実施例では、画像分配部２０３は、図８の対応関係を示す情報（テーブルや関数）を用いて対象画像データ１１の各階調値を変換することにより、処理画像データを生成する。そして、画像分配部２０３は、処理画像データに応じてバック駆動信号１３とフロント駆動信号１４を生成する。図８は、変換前の階調値と変換後の階調値の対応関係の一例を示す。図８の対応関係によれば、０以上かつ２５５以下の範囲を２５６等分した階調値が、０以上かつ１９０以下の範囲を２５６等分した階調値に変換（低減）される。これにより、焼き付き低減モードにおいて、対象画像データ１１に基づく電圧として上記制限電圧が印加されるようになる。
【００６３】
以上述べたように、本実施例によれば、実施例１，２と同様に、表示不良をより確実に抑制できる。さらに、本実施例によれば、焼き付き低減モードにおいて、対象画像データ１１に基づく正電圧と負電圧のそれぞれとして、大きさが閾値以下の制限電圧が印加される。これにより、焼き付き低減モードにおける時間平均電圧の極性の偏りをより低減でき、実施例１，２よりも確実に表示不良を抑制できる。
【００６４】
なお、対象画像データ１１の変換方法は上記方法に限られない。例えば、対象画像データ１１の複数の階調値のうち、閾値よりも大きい階調値のみが、閾値以下の階調値に変換されてもよい（クリップ処理）。対象画像データ１１を変換せずに、印加電圧が閾値以下に制限されるように駆動信号（バック駆動信号１３やフロント駆動信号１４）を変換してもよい。対象画像データ１１や駆動信号を変換せずに、印加電圧が閾値以下に制限されるように、駆動信号に対応する電圧を変換してもよい。
【００６５】
なお、印加電圧の制限によって表示輝度が低下することがある。そのため、制御回路１０４は、印加電圧の制限による表示輝度の低下を抑制するように、バックライトモジュール１０１の発光輝度を高めてもよい。バックライトモジュール１０１は、部分的に発光輝度を制御可能な構成を有していてもよい。部分的な発光輝度の制御は「ローカルディミング制御」などと呼ばれる。具体的には、バックライトモジュール１０１は、表示面を構成する複数の分割領域にそれぞれ対応する複数の光源を有し、各光源の発光輝度が個別に制御可能であってもよい。そして、バックライトモジュール１０１では、印加電圧の制限による表示輝度の低下が抑制されるように、特定領域の分割領域に対応する光源の発光輝度が高められてもよい。
【００６６】
＜実施例４＞
以下、本発明の実施例４について説明する。なお、以下では、実施例１と異なる点（構成や処理）について詳しく説明し、実施例１と同じ点についての説明は省略する。
【００６７】
実施例１〜３では、通常モードから焼き付き低減モードに制御モードが瞬時に切り替わる。即ち、バックパネル１０２とフロントパネル１０３のそれぞれにおいて、特定領域（対応領域）における印加電圧が、当該特定領域が検出されたことに応じて、通常モードでの印加電圧から焼き付き低減モードでの印加電圧に瞬時に切り替わる。そのため、実施例１〜３では、印加電圧の大きな変化が瞬間的に生じることがある。印加電圧の大きな変化が瞬間的に生じると、フリッカ（ちらつき）などの妨害感が視認されることがある。
【００６８】
そこで、本実施例では、通常モードから補間モードを介して焼き付き低減モードに制御モードを切り替える。補間モードは、バックパネル１０２とフロントパネル１０３のそれ
ぞれにおいて、特定領域（対応領域）における印加電圧を、通常モードでの印加電圧から焼き付き低減モードでの印加電圧に徐々に変化させる制御モードである。即ち、本実施例では、バックパネル１０２とフロントパネル１０３のそれぞれにおいて、特定領域における印加電圧が、当該特定領域が検出されたことに応じて、通常モードでの印加電圧から焼き付き低減モードでの印加電圧に徐々に変化する。特定領域における印加電圧を、通常モードでの印加電圧から焼き付き低減モードでの印加電圧に徐々に変化させることにより、上述した妨害感を抑制しつつ、表示不良を抑制できる。
【００６９】
本実施例に係る処理フロー（焼き付き検出部２０２と画像分配部２０３の処理フロー）の一例について、図９を用いて説明する。図９は、焼き付き検出部２０２と画像分配部２０３の処理フローの一例を示すフローチャートである。図９において、実施例１（図３）と同じ処理には、実施例１と同じ符号が付されている。ステップＳ３０４にて、カウント値Ｃｏｕｎｔが閾値（閾値時間）よりも大きいと判断された場合には、処理対象画素は特定領域の画素であるとして、ステップＳ９０１へ処理が進められる。
【００７０】
ステップＳ９０１にて、焼き付き検出部２０２は、カウント値Ｃｏｕｎｔが補間閾値よりも大きいか否かを判断する。カウント値Ｃｏｕｎｔが補間閾値よりも大きいと判断された場合には、ステップＳ３０５へ処理が進められ、そうでない場合には、ステップＳ９０２へ処理が進められる。補間閾値からステップＳ３０４の閾値（閾値時間）を減算した減算値は、補間モードの最大フレーム数である。本実施例では、補間閾値が２０であり且つステップＳ３０４の閾値が１０であるため、上記減算値は１０である。なお、補間閾値は、メーカによって予め定められた固定値であってもよいし、そうでなくてもよい。例えば、補間閾値は、ユーザによって指定された値であってもよい。
【００７１】
ステップＳ９０２にて、処理対象画素は特定領域の画素だが、処理対象画素が特定領域の画素として検出されたタイミングからの経過時間が短いため、画像分配部２０３は、処理対象画素のバック駆動信号１３とフロント駆動信号１４を補間モードで生成する。
【００７２】
本実施例に係る動作の具体例を図１０（Ａ）〜１０（Ｃ）に示す。図１０（Ａ）は、対象画像データ１１の階調値の時間変化の一例を示す。図１０（Ｂ）は、バック駆動信号１３に応じた電圧の時間変化の一例を示す。そして、図１０（Ｃ）は、フロント駆動信号１４に応じた電圧の時間変化の一例を示す。図１０（Ａ）〜１０（Ｃ）において、切り替え時間は２フレーム分の時間である。図１０（Ｂ），１０（Ｃ）から、補間モードの期間（フレーム番号１１〜２０）に、印加電圧の時間変化の態様が、通常モードでの態様（フレーム番号１〜４）から、焼き付き低減モードでの態様（フレーム番号６１〜６４）に徐々に近づくことがわかる。
【００７３】
以上述べたように、本実施例によれば、通常モードから補間モードを介して焼き付き低減モードに制御モードを切り替えることにより、フリッカなどの妨害感を抑制しつつ、表示不良を抑制できる。
【００７４】
＜実施例５＞
以下、本発明の実施例５について説明する。実施例１〜４では、表示面から特定領域を検出する例を説明した。本実施例では、特定領域が予め定められている例を説明する。なお、以下では、実施例１と異なる点（構成や処理）について詳しく説明し、実施例１と同じ点についての説明は省略する。
【００７５】
図１１は、本実施例に係る表示面の一例を示す。本実施例では、図１１に示すように、特定領域１１０１が予め定められている。タイムコードなどが表示される領域では、「焼き付き」などと呼ばれる表示不良が生じる可能性が高い。そのため、そのような領域が予
めわかっている場合には、当該領域を特定領域１１０１として予め定めることができる。タイムコードは、表示されているフレームの時／分／秒／フレームの情報を示し、動画の録画中や再生中に表示される。なお、特定領域１１０１の位置やサイズは特に限定されない。図１１には、表示面の、特定領域１１０１以外の領域が、非特定領域１１０２として示されている。
【００７６】
本実施例では、特定領域１１０１において、実施例１の図２と同様に、画像入力部２０１から焼き付き検出部２０２へ対象画像データ１１の階調値が送られ、焼き付き検出部２０２の処理（焼き付き検出処理）が行われる。その結果、焼き付き検出部２０２では、バックパネル１０２とフロントパネル１０３の少なくとも一方において閾値時間前からの通常モードでの時間平均電圧の極性の偏りが閾値よりも大きい領域（詳細特定領域）が、特定領域１１０１から検出される。そして、画像分配部２０３では、焼き付き検出結果１２に応じた制御モードで駆動信号（バック駆動信号１３とフロント駆動信号１４）が生成される。具体的には、詳細特定領域において焼き付き低減モードで駆動信号が生成され、特定領域１１０１の残りの領域において通常モードで駆動信号が生成される。詳細特定領域に対応する他の対応領域が検出され、対応領域において焼き付き低減モードで駆動信号が生成され、特定領域１１０１の残りの領域において通常モードで駆動信号が生成されてもよい。
【００７７】
一方で、非特定領域１１０２では、図１２に示すように、画像入力部２０１から焼き付き検出部２０２へ対象画像データ１１の階調値が送られず、焼き付き検出処理が省略される。そして、画像分配部２０３では、非特定領域１１０２において、常に通常モードで駆動信号が生成される。
【００７８】
以上述べたように、本実施例によれば、特定領域が予め定められる。そして、特定領域のみが焼き付き検出処理の対象とされ、非特定領域は焼き付き検出処理の対象とされない。その結果、表示面全体が焼き付き検出処理の対象とされる場合に比べ、処理負荷（ＩＣのメモリ量）を軽減できる。
【００７９】
なお、特定領域は予め定められた領域に限られない。表示装置１００は、特定領域を設定する設定部を有してもよい。設定部は、例えば、ユーザ操作に基づいて特定領域を設定する。具体的には、表示装置１００の表示条件などを設定するメニュー画面などに、特定領域を設定する領域設定項目があり、ユーザは、領域設定項目を指定して特定領域を指定する。そして、設定部は、ユーザによって指定された領域を特定領域として設定する。特定領域は、表示面を構成する複数の分割領域の少なくともいずれかであってもよいし、サイズや位置を自由に変更可能な領域であってもよい。ユーザは、例えば、マウス、ＸＹつまみ、等の操作部材を用いて、特定領域を設定するための操作を行う。操作部材は、表示装置１００に固定された部材であってもよいし、表示装置１００に対して着脱可能な部材であってもよい。特定領域に関する情報（特定領域の位置やサイズなどを示す情報）が対象画像データ１１に付加されている場合には、当該情報に基づいて特定領域が設定されてもよい。
【００８０】
なお、特定領域では表示不良が生じる可能性が高いため、特定領域から詳細特定領域を検出せずに、特定領域において、常に焼き付き低減モードで駆動信号が生成されてもよい。この場合には、焼き付き検出処理が不要となるため、処理負荷をより軽減できる。
【００８１】
なお、特定領域は焼き付き検出処理の対象とされずに、非特定領域のみが焼き付き検出処理の対象とされてもよい。即ち、バックパネル１０２とフロントパネル１０３の少なくとも一方において閾値時間前からの通常モードでの時間平均電圧の極性の偏りが閾値よりも大きい領域（準特定領域）が、非特定領域から検出されてもよい。この場合には、特定
領域と準特定領域において、焼き付き低減モードで駆動信号が生成され、残りの領域において、通常モードで駆動信号が生成される。これによっても、処理負荷を軽減できると共に、表示不良を抑制できる。準特定領域に対応する他の対応領域が検出され、特定領域と対応領域において焼き付き低減モードで駆動信号が生成され、残りの領域において通常モードで駆動信号が生成されてもよい。
【００８２】
実施例１〜５の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８３】
実施例１〜５はあくまで一例であり、本発明の要旨の範囲内で実施例１〜５の構成を適宜変形したり変更したりすることにより得られる構成も、本発明に含まれる。実施例１〜５の構成を適宜組み合わせて得られる構成も、本発明に含まれる。
【００８４】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８５】
１００：表示装置  １０１：バックライトモジュール  １０２：バックパネル
１０３：フロントパネル  １０４：制御回路  ２０１：画像入力部
２０２：焼き付き検出部  ２０３：画像分配部  ２０４：バック電圧生成部
２０５：フロント電圧生成部
【図１】
2019144358.tif 000003
【図２】
2019144358.tif 000004
【図３】
2019144358.tif 000005
【図４】
2019144358.tif 000006
【図５】
2019144358.tif 000007
【図６】
2019144358.tif 000008
【図７】
2019144358.tif 000009
【図８】
2019144358.tif 000010
【図９】
2019144358.tif 000011
【図１０】
2019144358.tif 000012
【図１１】
2019144358.tif 000013
【図１２】
2019144358.tif 000014
【図１３】
2019144358.tif 000015